(57)【要約】      （修正有）【課題】装飾性に優れ、雨などに強く、前翅と後翅の形状が維持でき、夜間に光ることができる、蝶またはトンボの装飾品を提供する。【解決手段】蝶の装飾品は、頭部３ａ、胸部３ｂ、及び両側に凹部を有する腹部３ｃからなる樹脂製の本体部３と、樹脂製メッシュシート５の前翅２ａと後翅２ｂからなる。付け根の部分で折れ曲がり前翅２ａと後翅２ｂの各裏面に外側に向かって延びる一本の樹脂コーティングした補強針金６が設けられ、凹部に取り付けられる翅部２と、頭部３ａから延びる触角部１と、が備え、翅部２の周囲を固めるように蓄光塗料４が塗布される。【選択図】図１
0003170853.tif 000002
【実用新案登録請求の範囲】
【請求項１】
頭部、胸部、及び両側に凹部を有する腹部からなる樹脂製の本体部と、
樹脂製メッシュシートの前翅と後翅からなり、付け根の部分で折れ曲がり前翅と後翅の各裏面に外側に向かって延びる一本の樹脂コーティングした補強針金が設けられ、前記凹部に取り付けられる翅部と、
前記頭部から延びる触角部と、が備えられ、
前記翅部の周囲を固めるように蓄光塗料が塗布されていることを特徴とする蝶の装飾品。
【請求項２】
頭部、胸部、及び両側に凹部を有する腹部からなる樹脂製の本体部と、
樹脂製メッシュシートの前翅と後翅からなり、前翅と後翅の各裏面に外側に向かって延びる樹脂製補強リブが設けられ、該樹脂製補強リブの外側が透明フィルムでさらに覆われて、付け根の部分が前記凹部に取り付けられる翅部と、
前記頭部から延びる触角部と、が備えられ、
前記翅部に蓄光塗料が塗布されていることを特徴とする蝶の装飾品。
【請求項３】
頭部、胸部、及び両側に凹部を有する腹部からなる樹脂製の本体部と、
樹脂製メッシュシートの前翅と後翅からなり、前翅と後翅の各裏面に外側に向かって延びる樹脂製補強リブが設けられ、付け根の部分が前記凹部に取り付けられる翅部と、が備えられ、
前記翅部に蓄光塗料が塗布されていることを特徴とするトンボの装飾品。
【考案の詳細な説明】
【技術分野】
【０００１】
本考案は、蝶の装飾品およびトンボの装飾品に係り、より詳細には、室内に飾り付けるインテリアとして、また、出入り口などの暗がり危険防止具として、さらには、カバンなどに取り付ける交通安全のアクセサリーとして使用できる蝶の装飾品およびトンボの装飾品に関する。
【背景技術】
【０００２】
特許文献１には、蝶の装飾品が示される。この装飾品は、紙製の胴体と翅と触角からなり、翅の裏側には針金の補強リブが設けられる。補強リブは、翅の形状を維持し、曲げれば翅の開き具合を調節できる。しかしながら、素材が紙であるため雨などに弱く、補強リブの針金は前翅の部分しかないため後翅の形状が崩れやすく、光らないので暗い場所では目立たない、などの欠点がある。
【先行技術文献】
【特許文献】
【０００３】
【特許文献１】実公昭６２−４３８３４号公報
【考案の概要】
【考案が解決しようとする課題】
【０００４】
本考案の目的は、装飾性に優れ、雨などに強く、前翅と後翅の形状が維持でき、夜間に光ることができる、蝶またはトンボの装飾品を提供することにある。
【課題を解決するための手段】
【０００５】
本考案による第１の蝶の装飾品は、頭部、胸部、及び両側に凹部を有する腹部からなる樹脂製の本体部と、樹脂製メッシュシートの前翅と後翅からなり、付け根の部分で折れ曲がり前翅と後翅の各裏面に外側に向かって延びる一本の樹脂コーティングした補強針金が設けられ、前記凹部に取り付けられる翅部と、前記頭部から延びる触角部と、が備えられ、前記翅部の周囲を固めるように蓄光塗料が塗布されていることを特徴とする。
【０００６】
本考案による第２の蝶の装飾品は、頭部、胸部、及び両側に凹部を有する腹部からなる樹脂製の本体部と、樹脂製メッシュシートの前翅と後翅からなり、前翅と後翅の各裏面に外側に向かって延びる樹脂製補強リブが設けられ、該樹脂製補強リブの外側が透明フィルムでさらに覆われて、付け根の部分が前記凹部に取り付けられる翅部と、前記頭部から延びる触角部と、が備えられ、前記翅部に蓄光塗料が塗布されていることを特徴とする。
【０００７】
本考案によるトンボの装飾品は、頭部、胸部、及び両側に凹部を有する腹部からなる樹脂製の本体部と、樹脂製メッシュシートの前翅と後翅からなり、前翅と後翅の各裏面に外側に向かって延びる樹脂製補強リブが設けられ、付け根の部分が前記凹部に取り付けられる翅部と、が備えられ、前記翅部に蓄光塗料が塗布されていることを特徴とする。
【考案の効果】
【０００８】
本考案による第１の蝶の装飾品によれば、樹脂製としたので雨にぬれても型くずれしない。補強針金は前翅と後翅の強度を上げて翅の形状を維持できる。補強針金を曲げれば、前翅と後翅の開き具合を調節できる。補強針金は１本のもので中央部分を凹部に嵌め込むので、突き刺す場合よりも外れにくい。翅部の周囲を固めるように蓄光塗料を塗布したので、翅部の強度を確保して、夜間に翅部全体を光らせることができる。樹脂製メッシュシートは翅の繊細な感じを表現できる。
【０００９】
本考案による第２の蝶の装飾品によれば、補強針金に換えて樹脂製の補強リブを設けたので、翅を曲げることはできないが前翅と後翅の強度を上げ、当初の翅の形状を維持できる。また、透明フィルムは樹脂製メッシュシートを裏から支えて強度を上げ、翅となる樹脂製メッシュシートの縁が崩れないようにできる。
【００１０】
本考案によるトンボの装飾品によれば、樹脂製の補強リブを設けたので、前翅と後翅の強度を上げ、当初の翅の形状を維持できる。トンボの翅の形状は細長いので、透明フィルムを使用しなくても翅の形状が維持できる。
【図面の簡単な説明】
【００１１】
【図１】本考案による蝶の装飾品の正面図である。
【図２】本考案による蝶の装飾品の正面図である。
【図３】本考案による蝶の装飾品の正面図である。
【図４】本考案によるトンボの装飾品の正面図である。
【図５】本考案によるトンボの装飾品の正面図である。
【考案を実施するための形態】
【００１２】
以下、図面を参照して、本考案による蝶の装飾品とトンボの装飾品を説明する。
【実施例】
【００１３】
図１は、本考案による蝶の装飾品１００の正面図である。蝶の装飾品１００は、頭部３ａ、胸部３ｂ、腹部３ｃからなる樹脂製の本体部３と、樹脂製メッシュシート５の前翅２ａと後翅２ｂからなる翅部２と、頭部３ａから延びる触角部１からなる。目の粗い樹脂製メッシュシート５を使用したので、翅の後方が通して見える。前翅２ａと後翅２ｂの各裏面には、翅の外側に向かって延びる補強針金６が設けられる。補強針金６は、前翅の補強針金６ａと、後翅の補強針金６ｂからなる。前翅の補強針金６ａと後翅の補強針金６ｂは、翅の付け根の部分で折れ曲がった１本の針金である。補強針金６の中央の折れ曲がった個所が、胸部３ｂの凹部（図示せず）に取り付けられ接着剤で固定される。補強針金の先端を突き刺すものではないので、抜けにくくできる。補強針金６は、樹脂製メッシュシート５と同系統の色に樹脂コーティングされ、接着剤で樹脂製メッシュシート５に固定される。補強針金６を曲げることで、翅部２の開き具合を調節できる。なお、肢は細くて取れやすいので設けていない。
【００１４】
蓄光塗料は、有害物質のないアルミナ系酸化物が知られており、太陽光や蛍光灯の光のエネルギーを吸収して暗闇で長時間、光を放出する。図１に示すように、本体部３と翅部２と触角部１の全体にクリーム色の蓄光塗料を塗布したので、夜間に蝶の装飾品１００の全体が浮き出るように光らせることができる。
【００１５】
図１の引出し円の中は、前翅２ａのＡ−Ａ断面図を示す。蓄光塗料４は、樹脂系の柔らかい素材からなり、翅部２は目の粗い樹脂製メッシュシート５からなるので、翅部２の周囲を固めるように厚みをもって塗布している。前翅２ａの裏側には、補強針金６ａが取り付けられる。樹脂製メッシュシート５は、目が粗いものを使用したので翅の繊細な感じが表現できる。
【００１６】
図２は、本考案による蝶の装飾品の正面図である。図２の蝶の装飾品１００は、頭部３ａ、胸部３ｂ、腹部３ｃからなる樹脂製の本体部３と、樹脂製メッシュシート７の前翅２ａと後翅２ｂからなる翅部２と、頭部３ａから延びる触角部１からなる。目の細かい樹脂製メッシュシート７を使用したので、翅の表面にカラー塗料を塗布して、翅を色鮮やかに表現している。前翅２ａと後翅２ｂの各裏面には、翅の外側に向かって延びる樹脂製補強リブ９が設けられ、当初の翅の形状を維持している。樹脂製補強リブ９は、前翅の補強リブ９ａと後翅の補強リブ９ｂからなる。
【００１７】
図２に示すように、蓄光塗料４は、前翅２ａの上縁と後翅２ｂの下縁に、複数の円形の小さな模様として描かれている。これは翅部２の色彩を強調して見せるためで、夜間に光る個所は小さく抑えている。
【００１８】
図２の左下の引出し円の中に示すように、翅部２の付け根の個所は、前翅の補強リブ９ａと後翅の補強リブ９ｂも含めて、本体部３の凹部１３に嵌め込まれ、接着剤で固定される。前翅の補強リブ９ａと後翅の補強リブ９ｂは、針金のように折り曲げることはできないが、翅部２の当初の形状は維持できる。
【００１９】
図２の右下の引出し円の中は、前翅２ａのＡ−Ａ断面図を示す。前翅２ａは、後翅２ｂも同様であるが、目の細かい樹脂製メッシュシート７と、その裏側に貼り付けられる透明フィルム８からなる。透明フィルム８は、樹脂製メッシュシート７の裏側を覆って、樹脂製メッシュシート７の周囲の形状を安定して維持する。また、前翅の補強リブ９ａは、前翅２ａを張り出して延ばす。樹脂製メッシュシート７の前面は全体に塗料１０が塗布される。例として、アゲハ蝶ではカラーの塗料１０ａは黄色で、翅脈１２は黒の塗料１０ｂで描かれる。
【００２０】
図３は、本考案による蝶の装飾品の正面図である。図３の蝶の装飾品１００は、蝶の形状が異なるだけで、図２の構成と同じである。図３は、小型の蝶を模したもので、翅部２の前面は、全体に黄緑色のカラーの塗料１０ａとした。また、蓄光塗料４で前翅２ａの小さな模様を描き、後翅２ｂの下縁の円は、緑の塗料で描いている。
【００２１】
図４は、本考案によるトンボの装飾品の正面図である。図４のトンボの装飾品２００は、頭部３ａ、胸部３ｂ、腹部３ｃからなる樹脂製の本体部３と、樹脂製メッシュシート７の前翅２ａと後翅２ｂからなる翅部２からなる。頭部３ａから触角部１が延びているが短く小さいので省略してもよい。白色系の目の細かい樹脂製メッシュシート７を使用したので、翅の表面側に翅脈１２を黒の塗料１０ｂで描いている。前翅２ａと後翅２ｂの各裏面には、翅の外側に向かって延びる樹脂製補強リブ９を設け、翅部２を水平に張り出させている。樹脂製補強リブ９は、前翅の補強リブ９ａと後翅の補強リブ９ｂからなる。トンボの場合、翅が細長く面積が大きくないので、図２、３のような透明フィルム８は設けていない。蓄光塗料４は、本体部３と翅部２の一部に、円形の模様を描くのに使用した。腹部３ｃの後端にも蓄光塗料４を塗布している。
【００２２】
図５は、本考案によるトンボの装飾品の正面図である。図５のトンボの装飾品２００は、図４の構成と同じである。図５は、小型のトンボを模したもので、本体部３を赤色とし、翅部２の前面全体に赤色のカラーの塗料１０ａを塗布した。
【産業上の利用可能性】
【００２３】
本考案は、蓄光塗料により発光するので、アクセサリー、防災グッズ、インテリアなど多様に使用できる。また、蝶やトンボに限らず、翅のある昆虫、例えば蜂などにも適用できる。
【符号の説明】
【００２４】
１    触角部
２    翅部
２ａ    前翅
２ｂ    後翅
３    本体部
３ａ    頭部
３ｂ    胸部
３ｃ    腹部
４    蓄光塗料
５    樹脂製メッシュシート（目が粗い）
６    補強針金
６ａ    前翅の補強針金
６ｂ    後翅の補強針金
７    樹脂メッシュシート（目が細かい）
８    透明フィルム
９    樹脂製補強リブ
９ａ    前翅の補強リブ
９ｂ    後翅の補強リブ
１０    塗料
１０ａ    カラーの塗料
１０ｂ    黒の塗料
１２    翅脈
１３    凹部
１００    蝶の装飾品
２００    トンボの装飾品
【図１】
0003170853.tif 000003
【図２】
0003170853.tif 000004
【図３】
0003170853.tif 000005
【図４】
0003170853.tif 000006
【図５】
0003170853.tif 000007